(57)【特許請求の範囲】
【請求項１】
幅方向交互に配置した上吊連結枠及び脱出連結枠のヒンジ軸とパネル縦框両側のヒンジ軸受をそれぞれ回動自在にヒンジ連結してパネルを幅方向に蛇腹状折畳み自在に連結したシャッター本体と，上記上吊連結枠の上下に配置したスライダーを介して該シャッター本体を幅方向開閉自在に上吊支持した上下のガイドレールとを備えた横引きシャッターにおいて，上記上吊連結枠を，パネル縦框と略同等の見込幅を有する断面矩形の中空基部と，該中空基部両側の側壁見込方向中央部から側方に湾曲突出した湾曲片と，該湾曲片の内面に小突出した連結突片を介して交差方向に配置したヒンジ軸を備えた一体成形枠とし，上記脱出連結枠を，断面Ｃ字状のＣ字基部と，上記上吊連結枠と前後方向逆向きとした同様の湾曲片，連結突片及びヒンジ軸を備えた分離一対の分離成形枠とし且つそのＣ字基部を，それぞれ側壁と，該側壁の先端に見付方向に突出し前後一方を側壁の肉厚分短寸化した前後壁と，該前後壁の各先端に見込方向に小突出した係止片と，上記側壁の見込方向一端に形成した該係止片の受座をなす段部を備えて，分離一方のＣ字基部と分離他方のＣ字基部を，その前後壁を相互に重合するように嵌着固定し且つ該分離一方及び他方のＣ字基部間に落し錠設置スペースをなす中空部を形成することによって，該脱出連結枠を上記上吊連結枠と割型の略同形状とし，上記上吊連結枠と２枚のパネルとその各自由端の分離成形枠を連結したシャッター本体構成単位をガイドレールに吊支持して上記分離成形枠の後連結によってシャッター本体を形成するとともに該シャッター本体の伸張閉成時に上記上吊連結枠における断面矩形の中空基部の見付及びこれと同幅の脱出連結枠におけるＣ字基部の前後壁の見付を挟んでパネル縦框を幅方向にヒンジ連結した外観を呈するものとする一方、該シャッター本体における任意の脱出連結枠に配置した操作プレートの操作によって上記錠設置スペースをなす中空部に上下動自在に収容した錠本体を有する落し錠を備え、該錠本体をその一側に形成した凹陥部に配置し先端を前後突出方向に向けて付勢した係止金具と、他側に配置したスライド突起と，上記錠設置スペースの中空部内面における該係止金具配置側の片側一方に配置した係止金具受止めプレートと，同じく中空部内面の片側他方に配置して上記スライド突起を受止めする抜止めプレートを備えて形成し、上記脱出連結枠の室内側に上記重合配置したＣ字基部の室内側で前後壁を上下に切欠いて上記操作プレートの上下動を可能とするとともに該前後壁の切欠きを前後壁の内側一方において外側他方の壁面を残存するように更に上下方向に向けて切欠いて，該残存した外側他方の壁面を上記錠本体に配置した上下一対の各スライド突起をスライド案内するガイド面とするとともにその下位に残存した内側一方の壁面の上端を下位のスライド突起の受座をなして該スライド突起を受止めすることによって錠本体の抜止めを行う抜止めプレートとしてなることを特徴とする横引きシャッターの連結枠。
【発明の詳細な説明】
【技術分野】
【０００１】
本発明は，横引きシャッターに関し，特にそのパネルを蛇腹状折畳み自在に連結する連結枠に関する。
【背景技術】
【０００２】
この種横引きシャッターは，幅方向交互に配置した上吊連結枠及び脱出連結枠のヒンジ軸とパネル縦框両側のヒンジ軸受をそれぞれ回動自在にヒンジ連結してパネルを幅方向に蛇腹状折畳み自在に連結したシャッター本体と，上記上吊連結枠の上下に配置したスライダーを介して該シャッター本体を幅方向開閉自在に上吊支持した上下のガイドレールとを備えたものとされるところ，シャッター本体は，その重量が嵩むために，ガイドレールにシャッター本体を吊り込む現場の吊り込み作業を容易化するように，シャッター本体を幅方向に分離可能としてあり，このとき該シャッター本体は，その一部又は全部の脱出連結枠を分離構成して吊り込み後にネジ止めするようにしてある。脱出連結枠の分離構成は，下記特許文献の第４図によれば，例えばタッピングホールを内側に備えた中空基部と，該中空基部のコーナーに傾斜して小突出した連結突片を介してその先端に配置した一方のヒンジ軸を備えた連結枠本体と，該連結枠本体の室外側に重合する重合片と，該重合片に同じく傾斜して小突出した連結突片を介してその先端に配置した他方のヒンジ軸を備えたヒンジ部材とを用い，上記重合片を中空基部に重合してリベット止めして，上吊連結枠と略同様な断面形状を確保して行うものとされ，該リベット止め部分を，シャッター本体を伸張したときパネルに設置したカバーによって目隠しするものとされる。
【０００３】
【特許文献１】特公平６−３１４８３号
【発明の開示】
【発明が解決しようとする課題】
【０００４】
この場合，シャッター本体の吊り込みは，これを容易化することができるが，シャッター本体に落し錠を用いるについて，脱出連結枠にこれを設置するには，中空基部の内側にタッピングホールを備えるために中空基部の内側，即ち中空部に落し錠設置のスペースを確保し難く，ヒンジ部材の連結突片がリベットとともに露出するために，必ずしも外観を良好なものとはなし難く，またヒンジ部材は傾斜した連結突片を介して他方のヒンジ軸を配置してそれ自体重量が嵩むパネルの荷重を支持するものとされるため，該連結突片乃至これを固定したリベットにパネルの荷重が集中する結果，パネルの材質やパネルにガラスを用いるときの板厚変化等による荷重変化に対しても，常にパネルを安定支持するに適した高度な剛性を確保したものとはなし難く，これらについてその改良が求められる。
【０００５】
本発明はかかる事情に鑑みてなされたもので，その解決課題とするところは，シャッター本体の吊り込みを容易化しつつ，その脱出連結枠に落し錠を設置可能とする一方，可及的高度な剛性を確保し且つ可及的良好な外観を確保し得るようにした横引きシャッターの連結枠を提供するにある。
【課題を解決するための手段】
【０００６】
上記課題に沿って本発明は，幅方向交互に配置した上吊連結枠及び脱出連結枠のヒンジ軸とパネル縦框両側のヒンジ軸受をそれぞれ回動自在にヒンジ連結してパネルを幅方向に蛇腹状折畳み自在に連結したシャッター本体と，上記上吊連結枠の上下に配置したスライダーを介して該シャッター本体を幅方向開閉自在に上吊支持した上下のガイドレールとを備えた横引きシャッターにおいて，上記上吊連結枠を，パネル縦框と略同等の見込幅を有する断面矩形の中空基部と，該中空基部両側の側壁見込方向中央部から側方に湾曲突出した湾曲片と，該湾曲片の内面に小突出した連結突片を介して交差方向に配置したヒンジ軸を備えた一体成形枠とし，上記脱出連結枠を，断面Ｃ字状のＣ字基部と，上記上吊連結枠と前後方向逆向きとした同様の湾曲片，連結突片及びヒンジ軸を備えた分離一対の分離成形枠とし且つそのＣ字基部を，それぞれ側壁と，該側壁の先端に見付方向に突出し前後一方を側壁の肉厚分短寸化した前後壁と，該前後壁の各先端に見込方向に小突出した係止片と，上記側壁の見込方向一端に形成した該係止片の受座をなす段部を備えて，分離一方のＣ字基部と分離他方のＣ字基部を，その前後壁を相互に重合するように嵌着固定し且つ該分離一方及び他方のＣ字基部間に落し錠設置スペースをなす中空部を形成することによって，該脱出連結枠を上記上吊連結枠と割型の略同形状とし，上記上吊連結枠と２枚のパネルとその各自由端の分離成形枠を連結したシャッター本体構成単位をガイドレールに吊支持して上記分離成形枠の後連結によってシャッター本体を形成するとともに該シャッター本体の伸張閉成時に上記上吊連結枠における断面矩形の中空基部の見付及びこれと同幅の脱出連結枠におけるＣ字基部の前後壁の見付を挟んでパネル縦框を幅方向にヒンジ連結した外観を呈するものとする一方、該シャッター本体における任意の脱出連結枠に配置した操作プレートの操作によって上記錠設置スペースをなす中空部に上下動自在に収容した錠本体を有する落し錠を備え、該錠本体をその一側に形成した凹陥部に配置し先端を前後突出方向に向けて付勢した係止金具と、他側に配置したスライド突起と，上記錠設置スペースの中空部内面における該係止金具配置側の片側一方に配置した係止金具受止めプレートと，同じく中空部内面の片側他方に配置して上記スライド突起を受止めする抜止めプレートを備えて形成し、上記脱出連結枠の室内側に上記重合配置したＣ字基部の室内側で前後壁を上下に切欠いて上記操作プレートの上下動を可能とするとともに該前後壁の切欠きを前後壁の内側一方において外側他方の壁面を残存するように更に上下方向に向けて切欠いて，該残存した外側他方の壁面を上記錠本体に配置した上下一対の各スライド突起をスライド案内するガイド面とするとともにその下位に残存した内側一方の壁面の上端を下位のスライド突起の受座をなして該スライド突起を受止めすることによって錠本体の抜止めを行う抜止めプレートとしてなることを特徴とする横引きシャッターの連結枠とし，これを発明の要旨として上記課題解決の手段としたものである。
【発明の効果】
【０００７】
本発明は以上のとおりに構成したから，幅方向双方に一体成形枠の上吊連結枠を用いて２枚のパネルを連結したシャッター本体構成単位をシャッター枠のガイドレールに装着した後に，それぞれ幅方向一方にパネルを連結した分離成形枠のヒンジ軸受にパネルのヒンジ軸を回動自在に軸支し，分離成形枠のＣ字基部を相互に嵌着固定して脱出連結枠を形成することによって，シャッター本体の吊り込みを容易に行うことができる。
【０００８】
脱出連結枠は，これを，Ｃ字基部に，その見込方向中間に小突出の連結突片を介してヒンジ軸を備えて，それ自体強度に優れた断面形状を有する一対の分離成形枠を用い，そのＣ字基部を相互に嵌着固定して，Ｃ字基部間に中空部を備えるとともに一対の分離成形枠の前後壁を内外双方で相互に面接触し且つ係止片を段部に係止することによって形成したから，上記中空部を設置スペースとして落し錠の設置を可能とするとともにパネルの荷重が特定部位に集中するのを可及的に防止して高度な剛性を確保したものとすることができる。
【０００９】
該脱出連結枠は，そのＣ字基部を嵌着して重合配置した前後壁の切欠いて操作プレートの上下動を可能とし、また、スライド突起及び係止金具の係止突起をスライド案内するガイド面とし且つ該スライド突起を受止め係止する係止金具止めプレートとすることによってその中空部に錠本体を収容して該脱出連結枠に落し錠を設置することができる。
【００１０】
脱出連結枠は，Ｃ字基部の嵌着固定に用いる金具が，例えば内側に露出する程度の差異があるも，見付面に分離成形枠の端部が表れないので，一体成形枠の如き外観を呈して，該脱出連結枠乃至これを用いたシャッター本体の外観を可及的良好なものとすることができる。
【００１１】
従って，本発明によれば，シャッター本体の吊り込みを容易になし得て，脱出連結枠に落し錠を設置可能とするとともに可及的高度な剛性と可及的良好な外観を確保した横引きシャッターの連結枠を提供できる。
【発明を実施するための最良の形態】
【００１２】
以下図面の例に従って本発明を更に具体的に説明すれば，Ａは横引きシャッターであり，該横引きシャッターＡは，常法に従って，幅方向交互に配置した上吊連結枠２５及び脱出連結枠２６のヒンジ軸２５５，２６８とパネル２４縦框両側のヒンジ軸受２４１をそれぞれ回動自在にヒンジ２１連結してパネル２４を幅方向に蛇腹状折畳み自在に連結したシャッター本体２と，上記上吊連結枠２５の上下に配置したスライダー２５６を介して該シャッター本体２を幅方向開閉自在に上吊支持した上下のガイドレール１１，１２とを備えたものとしてある。本例にあって横引きシャッターＡは，そのパネル２４のパネル体を除くシャッター本体２及び該シャッター本体２を収容する上記ガイドレール１１，１２を吊元及び戸先の縦枠の上下端に架設配置したシャッター枠１を，それぞれアルミ押出材を用いて形成したアルミ製とするとともに上記パネル２４には，その框内にパネル体としてガラスを嵌着支持することによって，例えば商店街や地下街に設置使用する店舗用のものとしてある。
【００１３】
このとき横引きシャッターＡの上記上吊連結枠２５は，これを，パネル２４縦框と略同等の見込幅を有する断面矩形の中空基部２５１と，該中空基部２５１両側の側壁見込方向中央部から側方に湾曲突出した湾曲片２５３と，該湾曲片２５３の内面に小突出した連結突片２５４を介して交差方向に配置したヒンジ軸２５５を備えた一体成形枠とし，上記脱出連結枠２６は，これを，断面Ｃ字状のＣ字基部２６２と，上記上吊連結枠２５と前後方向逆向きとした同様の湾曲片２６６，連結突片２６７及びヒンジ軸２６８を備えた分離一対の分離成形枠２６１とし且つそのＣ字基部２６２を，それぞれ側壁と，該側壁の先端に見付方向に突出し前後一方を側壁の肉厚分短寸化した前後壁２６３と，該前後壁２６３の各先端に見込方向に小突出した係止片２６４と，上記側壁の見込方向一端に形成した該係止片２６４の受座をなす段部２６５とを備えて，分離一方のＣ字基部２６２と分離他方のＣ字基部２６２を，その前後壁２６３を相互に重合するように嵌着固定し且つ該分離一方及び他方のＣ字基部２６２間に落し錠３設置スペースをなす中空部２８を形成したものとしてあり，これによって，該脱出連結枠２６を上記上吊連結枠２５と割型の略同形状とし，上記上吊連結枠２５と２枚のパネル２４とその各自由端の分離成形枠２６１を連結したシャッター本体構成単位をガイドレール１１，１２に吊支持して上記分離成形枠２６１の後連結によってシャッター本体２を形成するとともに該シャッター本体２の伸張閉成時に上記上吊連結枠２５における断面矩形の中空基部２５１の見付及びこれと同幅の脱出連結枠２６におけるＣ字基部の前後壁２６３の見付を挟んでパネル縦框を幅方向にヒンジ連結した外観を呈したものとしてあり、該シャッター本体２における任意の脱出連結枠２６に配置した操作プレート３１６の操作によって上記錠設置スペースをなす中空部２８に上下動自在に収容した錠本体３１を有する落し錠３を備え、該錠本体３１をその一側に形成した凹陥部に配置し先端を前後突出方向に向けて付勢した係止金具３１１と、他側に配置したスライド突起３１３と，上記錠設置スペースの中空部２８内面における該係止金具３１１配置側の片側一方に配置した係止金具受止めプレート３１４と，同じく中空部２８内面の片側他方に配置して上記スライド突起３１３を受止めする抜止めプレート３１５を備えて形成し、上記脱出連結枠２６の室内側に上記重合配置したＣ字基部２６３の室内側で前後壁２６３を上下に切欠いて上記操作プレート３１６の上下動を可能とするとともに該前後壁２６３の切欠きを前後壁２６３の内側一方において外側他方の壁面を残存するように更に上下方向に向けて切欠いて，該残存した外側他方の壁面を上記錠本体３１に配置した上下一対の各スライド突起３１３をスライド案内するガイド面とするとともにその下位に残存した内側一方の壁面の上端を下位のスライド突起３１３の受座をなして該スライド突起３１３を受止めすることによって錠本体３１の抜止めを行う抜止めプレート３１５としたものとしてある。
【００１４】
即ち，上吊連結枠２５及び脱出連結枠２６は，いずれもアルミ押出材を加工使用したアルミ製にして上吊連結枠２５を一体成形した一体成形枠とし，脱出連結枠２６を分離成形した一対の分離成形枠２６１としてある。上吊連結枠２５は，側壁を２．５ｃｍ程度，例えば２．４ｃｍ，前後壁を１．５ｃｍ程度，例えば１．２乃至１．３ｃｍの幅とし，該前後壁の内側にそれぞれ，後述の落し錠３における錠本体３１のスライド面をなすように２状の突条２５２を並列配置した中空基部２５１を備えたものとしてあり，その両側の側壁の見込方向中央部，本例にあっては略中央位置には，例えば１００度程度の角度の円弧をなすように翼状に一対の湾曲片２５３を突出するとともに該湾曲片２５３の円弧中心に軸心が位置するように，該各湾曲片２５３の内面，本例にあっては該内面の中間位置にそれぞれ連結突片２５４を小突出し，その先端に各ヒンジ軸２５５を配置して，幅方向に対称形状をなすものとしてある。ヒンジ軸２５５は，例えば円周方向一部を部分的に開口した断面Ｃ字状をなすとともにその一端部，即ち側壁側に位置する端部に外周側に小突出するストッパーを備えたものとしてある。
【００１５】
脱出連結枠２６は，その割型をなすように一対の分離成形枠２６１を組合せ固定して，これを形成するものとしてあり，該一対の分離成形枠２６１は，それぞれ上記Ｃ字基部２６２，その側壁，前後壁２６３，係止片２６４，段部２６５，湾曲片２６６，連結片２６７，ヒンジ軸２６８を備え，前後壁２６３を前後でそれぞれ重合し，係止片２６４を他方の分離成形枠２６１における側壁の段部２６５に係止するようにＣ字基部２６２を相互に嵌着して金具固定を施して，上吊連結枠２５間に配置される脱出連結枠２６を形成してある。該Ｃ字基部２６３を嵌着固定して一対の分離成形枠２６２によって形成される本例の脱出連結枠２６は，これをその湾曲片２６６，即ちヒンジ軸２６８の突出方向を逆とするも，その基本形状を上記上吊連結枠２５と共通としたものとしてあり，これによって上記上吊連結枠２５と脱出連結枠２６の外観を可及的に共通化するとともに共通部材とした落し錠３をその双方に設置可能としてある。
【００１６】
即ち本例にあって，各分離成形枠２６１は，そのＣ字基部２６２を，その基壁をなす側壁と，この側壁の両端から一側片側にそれぞれ突出した側壁の肉厚に相当する突出長さの差を形成した異長の前後壁２６３とを備えるとともに該前後壁２６３は，これを一対の分離成形枠２６１の各Ｃ字基部２６３を嵌着固定したとき各前後で相互に重合した状態で中空部２８を形成して組み合うように，上記上吊連結枠２５の側壁に比較して，該前後壁２６３の片側の肉厚分を，例えば１．５〜２ｍｍ程度僅かに短寸化した見込幅のものとして形成してあり，また該側壁の見込方向先端，即ち前後両端から他方の分離成形枠２６１に向けて前後壁２６３をそれぞれ突出し且つその先端に見込方向内側に向けて，該前後壁２６３と断面Ｌ字状をなすように上記係止片２６４を小突出し，一方側壁に配置した段部２６５は，一対の分離成形枠２６１間で，前後壁２６３を重合したとき，上記小突出した係止片２６４を受入れてこれを引掛係止するように，側壁の前後一方の端部を部分的に薄肉化したＬ字状に形成してある。これによって該Ｃ字基部２６２は，これを断面Ｃ字状をなすものとして，それ自体強度に優れるものとしてある。
【００１７】
一方，分離成形枠２６１に形成した湾曲片２６６，連結片２６７及びヒンジ軸２６８は，上記上吊連結枠２５におけると同様に，各分離成形枠２６１の側枠から上吊連結枠２５と同様に湾曲片２６６を突出し，その内面に，連結片２６７を介してヒンジ軸２６８を配置してあり，このとき上記湾曲片２６６の突出配置は，一対の分離成形枠２６１の嵌着固定によって，上記上吊連結枠２５の突出位置と同一位置となるようにするとともに該湾曲片２６６の向きを上吊連結枠２５と内外逆向きとなるようにして，シャッター本体２においてヒンジ軸２６８を上吊連結枠２５のヒンジ軸２５５と内外交互に配置するようにしてある。
【００１８】
一対の分離成形枠２６１は，その前後壁２６３一方の係止片２６４を前後壁２６３他方の段部２６５に係止し且つそれぞれの前後壁２６３を重合するように，Ｃ字基部２６２を相互に嵌着し，該前後壁２６３の一方，本例にあっては室内側で，該前後壁２６３をその長手方向に所定間隔のネジ２７止めを施すことによってその固定を行って脱出連結枠２６としてあり，これにより該脱出連結枠２６が，上記Ｃ字基部２６２による中空部２８を備えるとともに内外からの外観において，例えば分離成形枠２６１の端部が露出し，該脱出連結枠２６が分離成形枠２６１の組合せ形成した如くの印象を与えるのを防止し，中空部２８を備えることによって，またヒンジ軸２６８の配置を内外中央部とすることによって，シャッター本体２に用いる脱出連結枠２６として，高度な剛性と無理のないパネル２４の支持をなし得るようにしてある。
【００１９】
図４，図８，図９において３は，シャッター本体２の任意の脱出連結枠２６に配置した落し錠であり，本例にあって該落し錠３は，上記のように、脱出連結枠２６のＣ字基部２６３の嵌着によって形成される落し錠設置スペースをなす中空部２８の下端開口から上下スライド自在に挿入した錠本体３１と，該錠本体３１の一側に形成した凹陥部に配置して先端に係止突起３１２を備えるとともに該係止突起３１２を前後の突出方向に向けて付勢した係止金具３１１と，該錠本体３１の他側に配置したスライド突起３１３と，上記中空部２８内面の係止金具３１１配置側の片側一方に配置した係止金具受止めプレート３１４と，中空部２８内面の片側他方に配置した上記スライド突起３１３を受止めする抜止めプレート３１５と，脱出連結枠２６の前後壁２６３の室内側及び／又は室外側の外面に配置して上記錠本体３１にネジ止めし，表面に手掛けを配置した操作プレート３１６とを備えたものとしてあり，本例の落し錠３は，シャッター本体２を室内側に折畳むように設置してその開閉を行うとき，室内側に脱出する脱出連結枠２６の突出面の室内側に操作プレート３１６を配置して，シャッター本体２の室内側で該操作プレート３１６の操作をなし得るようにしてある。
【００２０】
本例にあって錠本体３１は，例えば合成樹脂，アルミ等の成形品あるいは切削加工品によって，一側下方に上記凹陥部を凹陥形成し，他側上方及び下方の２箇所に，例えば別部材のスライド突起３１３をネジ，溶着等によって固定し且つ下端を円柱状として施開錠用ロッド部３１７を突出形成するとともに上記係止金具３１２配置の他側に配置したスライド突起３１３を上下に一対配置したものとする一方，上記係止金具３１１を，下端固定部から片側一方に向けて緩傾斜した傾斜部を介してその上端にＣ字状の係止突起３１２を配置した，例えばバネ鋼に曲げ加工を施して形成し，その下端固定部を上記凹陥部の底壁下端にネジ，溶着等によって固定し，該係止金具３１１を錠本体３１の凹陥部に突出方向に向けて付勢状態としてこれを弾発的に収容したものとしてある。また上記操作プレート３１６は，同じく合成樹脂，アルミ等の成形品あるいは切削加工品を用い，上下中間位置に摘み突起を突出し，例えば上下２箇所で，錠本体３１の上方位置にネジ固定してあり，このときネジ固定は，脱出連結枠２６の上記重合した一方の前後壁２６３の厚さを逃げる間隔を錠本体３１と操作プレート３１６間に形成するように該間隔にネジを挿通被覆したブッシュ３１８を配置して該間隔を常時維持するようにしてある。
【００２１】
落し錠３を設置した脱出連結枠２６は，その上記Ｃ字基部２６２を嵌着することによって上記重合配置した前後壁２６３を，その落し錠３の操作プレート３１６設置の室内側で，該落し錠の施開錠に伴うその上下移動幅，即ち上記錠本体３１と操作プレート３１６における上下２箇所のネジを挿通被覆したブッシュ３１８が移動する長さ幅を上下に切欠くことによって操作プレート３１６の上下動を可能としてあり，このとき前後壁２６３の切欠きは，前後壁２６３の内側一方を，外側他方の壁面を残存するように更に上下方向に向けて切欠いて，該残存した外側他方の壁面を，中空部内で上下に移動する錠本体３１に配置した上記上下一対の各スライド突起３１３をスライド案内するガイド面とするとともにその下位に残存した内側一方の壁面を，その上端を下位のスライド突起３１３の受座をなして，これを受止めすることによって錠本体３１の抜止めを行う抜止めプレート３１５としてある。また落し錠３の係止金具３１１設置の室外側で，その前後壁２６３の内側一方を，落し錠３の施開錠に伴う上下移動幅に応じた，本例にあって上記室内側と同じ長さ幅を切欠いて，該内側一方の下位に残存した壁面を，上記係止金具３１１の係止突起３１２を弾発的にスライド案内するガイド面，その上端を該係止突起を弾発的に受止め係止する受止め段部とすることによって該残存した内側一方の壁面を係止金具受止めプレート３１４としてある。
【００２２】
図１０は，シャッター本体２を室外側に折畳むように設置してその開閉を行うとき，上記図４，８，９の場合と逆に，室外側に脱出する脱出連結枠２６のパネル２４間挟持面の室内側に操作プレート３１６を配置して，同じくシャッター本体２の室内側で該操作プレート３１６の操作をなし得るようにした例である。
【００２３】
図１１，１２は，上記脱出連結枠２６に設置した落し錠３を，例えば錠本体３１に対するスライド突起の配置を省略することによって，上吊連結枠２５に対して互換的に使用して，該上吊連結枠２５に設置し，該落し錠３を室内外双方に配置した操作プレート３１６によって施開錠自在とした例を示したものであり，本例にあって上吊連結枠２５は，その前後壁の内側にそれぞれ並列して配置した上記２条の突条２５２の先端間の距離を，上記落し錠３における錠本体３１の見込幅と一致するように，該突条の前後壁から中空部に向けた突出長さを設定することによって，その中空基部２５１に錠本体３１を挿入し得るようにして，上記脱出連結枠２６との間で落し錠３を互換的に使用可能としてある。
【００２４】
このとき該上吊連結枠２５は，該２条の突条２５２を有する前後壁に，上記脱出連結枠２６における前後壁２６３に対すると同様な加工，即ち切欠きを施すことによって，本例にあって錠本体３１の内側に配置した係止金具３１１の係止突起３１２が一方２条の突条２５２に弾発的に接触するとともに錠本体３１が他方２条の突条に直接に接触することによって，該２条の突条２５２が錠本体３１を同様にスライド案内するガイド面をなすようにして，室内外双方に配置した操作プレートを上下動自在としてあり，また切欠きによって下位に残存した２条の突条の上端を，上記係止突起を弾発的に受止め係止する受止め段部とするようにしてあり，これにより同様に抜止めプレート３１５，係止金具受止めプレート３１４をなすものとしてある。
【００２５】
図１０乃至図１２のその余は，上記例と変らないので，同一符号を付して重複する説明を省略する。
【００２６】
従って，パネル２４に，これら上吊連結枠２５及び各分離成形枠２６１のヒンジ軸２５５，２６８とヒンジ２１を形成するヒンジ軸受２４１をそれぞれ縦框に配置し，該ヒンジ２１を介して上吊連結枠２５の両側にパネル２４を連結するとともに該パネル２４の自由端側に同じくそれぞれヒンジ２１を介して分離成形枠２６１を配置することによって，各単一の上吊連結枠２５，２枚のパネル２４，その自由端の各分離成形枠２６１を連結したものをシャッター本体形成単位として工場出荷し，横引きシャッターＡの設置現場では，上吊連結枠２５を，例えば吊元側端部乃至その近傍に配置した,シャッター本体折畳用の切欠部１１１からシャッター枠１の上下のガイドレール１１，１２に走行自在に装着するようにして各２枚のパネル２４を順次吊支持し，その隣接するパネル２４同士の自由端側に位置する各分離成形枠２６１をそれぞれ嵌着固定して一連のシャッター本体２を形成すればよく，このとき吊元側及び戸先側にあっては，シャッター本体２の幅方向両端に配置して，同じく上下のガイドレール１１，１２に上吊する吊元框２２及び戸先框２３との間でこれらに配置したヒンジ軸２５５とパネル２４のヒンジ軸受２４１とで同様にヒンジ２１を形成するようにこれらに端部のパネル２４をそれぞれ連結し，その自由端側に分離成形枠２６１を連結したものとして，吊元框２２又は戸先框２３，１枚のパネル２４，一対のうち一方の分離成形枠２６１を連結したものを端部用の単位とし，吊元框２２，戸先框２３をシャッター枠１のガイドレール１１，１２間に上吊配置し，上記シャッター本体形成単位と，その分離成形枠２６１同士を嵌着固定することによって，その連結を行うようにすればよい。これによって重量の嵩むシャッター本体２を現場に搬入して直接に吊支持することなく，作業者がシャッター本体形成単位を比較的容易にガイドレール１１，１２間に吊支持することによって，分離成形枠２６１の後連結の作業を施してシャッター本体２を形成することができ，従って現場作業を簡易化してその作業効率を高度に確保することができ，その上吊連結枠２５と脱出連結枠２６を略同形状の略共通形状としたことによって，脱出連結枠２６を，一対の分離成形枠２６１によって形成した印象を捨象して，外観よく，またその両側にパネル２４を支持するについて，一体成形枠による上吊連結枠２５と同等にして，シャッター本体２の脱出連結枠２６として高度な剛性を確保したものとすることができる。
【００２７】
図中１１２は，シャッター本体２の折畳み開成と伸張閉成をスムーズになし得るように上位のガイドレール１１に配置して，パネル２４上端に配置したガイドローラー２４２を案内するガイドプレート，１１３は，同じくパネル２４上端に配置した固定ブロック２４３を，シャッター本体２の伸張閉成時に通過させ，シャッター本体２の折畳開成時に折畳方向に蹴り出すことによって上記ガイドプレート１１２の案内と相俟ってシャッター本体２の開閉を更にスムーズにするように上位のガイドレール１１に配置した回動自在の蹴り出しブロック，１２１は，シャッター枠１の下位ガイドレール１２に着脱自在に嵌合配置することによって，下位ガイドレール１２から取り外して内部に落ち込み集積した塵埃の除去をなし得るようにした着脱レールを示す。
【００２８】
図示した例は以上のとおりとしたが，本発明の実施に当って，横引きシャッター，そのシャッター本体，ガイドレール，上吊連結枠，その一体成形枠，脱出連結枠，分離一対の分離成形枠，Ｃ字基部，その側壁，前後壁，係止片，段部，中空部等の各具体的形状，構造，材質，これらの関係，これらに対する付加等は，上記発明の要旨に反しない限り様々な形態とすることができる。
【図面の簡単な説明】
【００２９】
【図１】横引きシャッターの背面図である。
【図２】横引きシャッターの横断面図である。
【図３】横引きシャッターの縦断面図である。
【図４】横引きシャッターの折畳状態を示す横断面図である。
【図５】上吊連結枠部分の拡大横断面図である。
【図６】脱出連結枠部分の拡大横断面図である。
【図７】分離成形枠の拡大横断面図である。
【図８】落し錠を設置した脱出連結枠部分の拡大横断面図である。
【図９】図８の落し錠を設置した脱出連結枠部分の拡大縦断面図である。
【図１０】落し錠設置の他の形態を示す脱出連結枠部分の拡大横断面図である。
【図１１】落し錠を設置した上吊連結枠部分の拡大横断面図である。
【図１２】図１１の落し錠を設置した上吊連結枠部分の拡大横断面図である。
【符号の説明】
【００３０】
Ａ  横引きシャッター
１  シャッター枠
１１  上位ガイドレール
１１１  切欠部
１１２  ガイドプレート
１１３  蹴り出しブロック
１２  下位ガイドレール
１２１  着脱レール
２  シャッター本体
２１  ヒンジ
２２  吊元框
２３  戸先框
２４  パネル
２４１  ヒンジ軸受
２４２  ガイドローラー
２４３  固定ブロック
２５  上吊連結枠
２５１  中空基部
２５２  突条
２５３  湾曲片
２５４  連結突片
２５５  ヒンジ軸
２５６  スライダー
２６  脱出連結枠
２６１  分離成形枠
２６２  Ｃ字基部
２６３  前後壁
２６４  係止片
２６５  段部
２６６  湾曲片
２６７  連結突片
２６８  ヒンジ軸
２７  ネジ
２８  中空部
３  落し錠
３１  錠本体
３１１  係止金具
３１２  係止突起
３１３  スライド突起
３１４  受止めプレート
３１５  抜止めプレート
３１６  操作プレート
３１７  施開錠用ロッド
３１８  ブッシュ
【図１】
0005391470.tif 000002
【図２】
0005391470.tif 000003
【図３】
0005391470.tif 000004
【図４】
0005391470.tif 000005
【図５】
0005391470.tif 000006
【図６】
0005391470.tif 000007
【図７】
0005391470.tif 000008
【図８】
0005391470.tif 000009
【図９】
0005391470.tif 000010
【図１０】
0005391470.tif 000011
【図１１】
0005391470.tif 000012
【図１２】
0005391470.tif 000013